(57)【要約】【課題】容器本体を数回押圧することで、容器本体内に収容されたピコスルファートナトリウム液を水の入ったコップ等に容易且つ確実に全て注出することができる押出し容器を提供することを目的とする。【解決手段】ピコスルファートナトリウム液を収容する容器であって、該容器は、前記液を収容する押圧可能な容器本体１と、該容器本体１の口部１１に設けたノズル２と、前記ノズル２を閉塞するキャップ３と、から構成され、前記ノズル２は内径が大きく形成してあることを特徴とする。【選択図】        図１
2004329546.tif 000002
【特許請求の範囲】
【請求項１】
ピコスルファートナトリウム液を収容する容器であって、該容器は、前記液を収容する押圧可能な容器本体（１）と、該容器本体（１）の口部（１１）に設けたノズル（２）と、前記ノズル（２）を閉塞するキャップ（３）と、から構成され、前記ノズル（２）は内径が大きく形成してあることを特徴とする押出し容器。
【請求項２】
前記ノズル（２）の内径は、３ｍｍ乃至１０ｍｍであることを特徴とする請求項１記載の押出し容器。
【発明の詳細な説明】
【０００１】
【発明が属する技術分野】
本発明は、下剤として使用されるピコスルファートナトリウム液を収容する容器に関するものであり、更に詳しくは、手術前における腸管内容物の排除及び大腸検査（Ｘ線・内視鏡）前処置における腸管内容物の排除のために使用するピコスルファートナトリウム液を収容する容器に関するものである。
【０００２】
【従来の技術】
ピコスルファートナトリウム液とは、下剤として使用される経口投与の薬剤であり、適量の水等に混入させて使用する。各種便秘症、術後排便補助及び造影剤（硫酸バリウム）投与後の排便促進に使用する場合の用量は、どの用法においても一回の投与につき最大でも１．０ｍＬと非常に少量であり、また、用法や症状及び処方年齢に応じて用量が多少異なってくる。そのため、定量滴下型の容器に収容し、容器を押圧し水等を収容したコップ内に滴下することで、各用法等に応じて滴下回数を調節しながら用量を微調整していた。
【０００３】
しかし、一回の投与する用量が比較的に多い大腸検査（Ｘ線・内視鏡）前処理における腸管内容物の排除の場合には、前述したような定量滴下型の容器に収容すると、一回の押圧では少量しか滴下しないため、何度も押圧作業を繰り返さなければならず、非常に面倒であることは勿論のこと作業効率が非常に悪いという問題が生じていた。
【０００４】
【発明が解決しようとする課題】
そこで、押圧式の定量滴下型容器ではなく、口部を大きく形成した容器を使用することが考えられるが、この場合、容器本体に収容した液を水等を収容するコップ内に容易に注出することはできるが、押圧式でないためどうしても容器内に液が残ってしまう問題がある。また、全量を完全に注出しようとすると容器を振らなければならず、その際に液が周囲に飛び散ってしまったりする恐れがあり、水を収容した容器に適切な用量を確保することができないことは勿論のこと、作業効率も非常に悪いと考えられる。また、最悪の場合では、正確な検査を行うことへの支障をきたす恐れもある。
【０００５】
そこで本発明は、このような事情に基づいて成されたものであり、容器本体を数回押圧することで、容器本体内に収容されたピコスルファートナトリウム液を水の入ったコップ等に容易且つ確実に全て注出することができる押出し容器を提供することを目的とする。
【０００６】
【課題を解決するための手段】
上記目的を達成するために、本発明のうち請求項１記載の発明は、ピコスルファートナトリウム液を収容する容器であって、該容器は、前記液を収容する押圧可能な容器本体と、該容器本体の口部に設けたノズルと、前記ノズルを閉塞するキャップと、から構成され、前記ノズルは内径が大きく形成してあることを特徴とする。
【０００７】
このように構成することにより、容器が押圧可能であるため、容器内の液を完全且つ確実に水等の入ったコップに注出することができると共に、ノズルの内径が大きいため、容器本体を一回押圧することで注出される液量が多いので、作業を非常に効率的に行うことが可能となる。
【０００８】
ノズルの内径に関しては、特に限定するものではないが、請求項２記載の発明のように、ノズルの内径を３ｍｍ乃至１０ｍｍにすることが望ましい。このような範囲に形成することにより、容器本体を３〜５回押圧すれば、容器本体内の液を完全に注出可能であるため、より一層作業効率を向上させることができる。
【０００９】
【発明の実施の形態】
以下、本発明の実施形態の一例を図面に基づいて説明する。図１は本発明の押出し容器の組み立てた状態を示す断面図であり、図２は押出し容器の分解した状態を示す断面図である。
【００１０】
本発明の押出し容器は、ピコスルファートナトリウム液を収容する容器本体１と、該容器本体１の口部１１に設けられるノズル２と、該ノズル２を閉塞するキャップ３と、から構成され、全てをポリエチレンにより形成するものである。
【００１１】
容器本体１は、ピコスルファートナトリウム液を１０ｍＬ収容可能な大きさに形成されており、該液を収容する胴部１０と該液を出し入れする口部１１とから構成し、各部１０、１１は円筒形状を成している。胴部１０は押圧可能に形成されており、口部１１は胴部１０の上端面より上方に向かって突出するように設けられており、口部１１の外径は胴部１０の外径よりも小さく形成してある。また、口部１１の外周面にはキャップ３と螺合するネジ１２が形成されている。
【００１２】
ノズル２は、円筒状を成しており、下方部分には前記容器本体１の口部１１内に挿嵌する挿嵌部２０を、また、上方部分には内径が１０ｍｍのノズル部２１を備え、挿嵌部２０とノズル部２１の略中間位置の外周面には、外側に張出し容器本体１の口部１１上端面に係止する張出部２２が形成されている。挿嵌部２０は、容器本体１の口部１１に挿嵌した後の引き抜きを困難にし且つ液漏れを確実に防ぐために、ノズル部２１よりも内外径共に大きめに形成してある。また、挿嵌部２０の外周面上部には、張出部２２と平行に走る２本のリング状の略半円形の突出部（図示省略）を形成し、容器本体１の口部１１からの引き抜きを困難にし且つ口部１１の内周面に強固に当接可能としている。さらに、挿嵌部２０は下端部に向かって外径は僅かに小さく、内径は僅かに大きくなるように形成されており、挿嵌部２０の下端部に向かって薄肉状に形成されるため、容器本体１の口部１１への挿嵌作業が容易となる。ノズル部２１は、上端が開口した円筒形を成している。張出部２２の外径は、容器本体１の口部１１上端の外径と略等しくなるように成されている。
【００１３】
キャップ３は略凸形を成しており、下方部分の内周面に容器本体１の口部１１と螺合するネジ３０を形成し、上方部分はノズル２のノズル部２１が嵌り込むように形成されている。また、キャップ３の上端部は断面が略凹状の凹部３１が形成されており、キャップ３を容器本体１の口部１１に螺合させた場合、凹部３１がノズル２のノズル部２１内に嵌り込みノズル部２１の開口部を封止するため、容器本体１を気密状態に保つことが可能となる。尚、キャップ３の形状は、必ずしもこれに限定されるものではなく、例えば、キャップ自体は円筒形を成しており、内部を断面凸状に形成することで、容器本体の口部と螺合するとともに、ノズルを封止し容器本体の気密状態を保持することも可能である。
【００１４】
押出し容器を上記記載のような構成にすることにより、容器本体にピコスルファートナトリウム液を１０ｍＬ充填した場合に、ノズルを封止し容器を気密状態を保つことができると共に、容器本体を３〜５回押圧することで、容器本体内の液１０ｍＬ全てを容易に水を収容したコップ内に注出することが可能となり、ピコスルファートナトリウム液が２０ｍＬ必要な大腸検査前処理における腸管内容物の排除に使用する場合に、液の注出作業の簡略化が図られ、非常に作業効率を向上させることができる。
【００１５】
【発明の効果】
本発明のうち請求項１記載の発明によれば、押圧可能な容器本体の口部に、口径の大きなノズルを備えることにより、容器本体を押圧することで、容器本体に収容したピコスルファートナトリウム液の全量を水の入ったコップ等に容易且つ確実に注出することが可能となり、液を注出する作業効率が向上し、前記液の用量の多い大腸検査前処理における腸管内容物の排除に使用するに好適な押出し容器を提供することができる。
【００１６】
本発明のうち請求項２記載の発明によれば、ノズルの内径を３ｍｍ乃至１０ｍｍにすることにより、容器本体を３〜５回押圧するだけで、容器本体に収容した全てのピコスルファートナトリウム液を水の入ったコップ等に容易に注出することが可能となり、注出する作業効率をより一層向上させることができる。
【図面の簡単な説明】
【図１】本発明の押出し容器の組み立てた状態を示す断面図である。
【図２】本発明の押出し容器の分解した状態を示す断面図である。
【符号の説明】
１  容器本体
２  ノズル
３  キャップ
１１  口部
【図１】
2004329546.tif 000003
【図２】
2004329546.tif 000004